(57)【要約】【課題】幅広い環境下にて、制振、耐震を図りながらの配管の支持を行なうことができるようにする。【解決手段】支持架台１６上に、複数のワイヤ挿通孔１５を備えたワイヤ保持部材１４を設置する。支持すべき配管１の上方に、複数のワイヤ挿通孔１８を備えたホルダ部材１７を配置する。ワイヤ保持部材１４とホルダ部材１７の各ワイヤ挿通孔１５，１８に交互にワイヤロープ１９を通し、配管１の外周で螺旋状に成形させる。ホルダ部材１７の両端部のワイヤ引出孔２０より引き出したワイヤロープ１９の両端部１９ａを、クランプ部材２１を介し配管１に取り付ける。配管１の重量は、ワイヤロープ１９の両端部１９ａ、ホルダ部材１７、螺旋状に成形されたワイヤロープ１９を介し支持架台１６に支持させる。地震等により配管１に作用する荷重は、螺旋状に成形してあるワイヤロープ１９の剛性により受けさせる。【選択図】図１
2005257018.tif 000002
【特許請求の範囲】
【請求項１】
所要の長さを有し且つ長手方向に所要間隔で複数個のワイヤ挿通孔を備えてなるワイヤ保持部材を、支持すべき配管の支持部分に位置する固定部に沿わせて配管の管軸方向に沿うよう取り付け、同様に所要の長さを有し且つ上記ワイヤ保持部材の各ワイヤ挿通孔と対応するよう長手方向に所要間隔で複数個のワイヤ挿通孔を備えてなるホルダ部材を、上記ワイヤ保持部材と所要の間隔を隔てて平行配置し、該ホルダ部材を、上記ワイヤ支持部材に、該ワイヤ保持部材と上記ホルダ部材の各ワイヤ挿通孔に撓み強度を有するワイヤロープを交互に挿通させて螺旋状に巻くことにより支持させ、上記ホルダ部材にて配管を支持させるようにした構成を有することを特徴とする配管支持装置。
【請求項２】
ホルダ部材を、固定部側のワイヤ保持部材とは１８０度対向するように配置して、ワイヤロープを支持すべき配管の外周にて螺旋状に成形するようにした請求項１記載の配管支持装置。
【請求項３】
ホルダ部材による配管の支持を、ホルダ部材の両端から垂下させたワイヤロープの端部を介して行うようにした請求項１又は２記載の配管支持装置。
【請求項４】
ホルダ部材による配管の支持を、固定の支持部材を介して行うようにした請求項１又は２記載の配管支持装置。
【発明の詳細な説明】
【技術分野】
【０００１】
本発明は、配管を制振、防震を図りながら支持するために用いる配管支持装置に関するものである。
【背景技術】
【０００２】
一般に、配管を所要の固定部に支持させる場合、該配管と固定部との間の相対変位をある程度許容できるようにすることにより、地震等により上記配管に対し振動が作用しても、該振動を上記配管と固定部との相対変位で吸収できるようにして、上記配管の制振、防震を図るようにすることが行われている。
【０００３】
この種の制振、防震を図りながら配管を支持するための手段としては、たとえば、比較的小口径の配管に対しては、図４に示す如く、固定部としての支持架台２の表面部を、支持すべき配管１に接するよう配置し、湾曲部の内側に合成ゴム等による弾性部材４を取り付けてなるＵボルト３を、上記配管１を跨ぐように嵌合させて、該Ｕボルト３の両端部（両脚部）を上記支持架台２に取り付けることにより、上記配管１を、弾性部材４、Ｕボルト３を介して支持架台２に支持させるようにすることが多く行なわれている。これにより、上記配管１に地震等による振動が作用する場合には、配管１と支持架台２との相対変位を上記弾性部材４の変形により吸収すると共に、該変形する上記弾性部材４の粘弾性抵抗により、上記配管１の振動を減衰させるようにしてある。
【０００４】
又、配管を合成樹脂製のクランプ（図示せず）を介して固定部に取り付けるようにするものもあるが、この場合も、該配管に振動が作用する場合には、上記合成樹脂製クランプの有する粘弾性抵抗により、上記配管の振動を減衰させるようにすることも広く行われている。
【０００５】
更に、ＬＮＧ配管等の如き低温流体用の配管の変位を吸収できるようにするための配管支持装置としては、図５に一例を示す如きものも提案されている。これは、上下方向に配置されているシリンダ部５によるものである。シリンダ部５は、上端部となるヘッド側端部が所要の固定部６に取付具７を介し回動自在に取り付けられているシリンダ８と、該シリンダ８内に摺動自在に収納されているピストン９と、上記シリンダ８の下端面をスライド自在に貫通させて上端部を上記ピストン９に取り付けたピストンロッド１０と、上記シリンダ８内のロッド室８ａに収納した圧縮ばね１１とからなり、該ピストンロッド１０の下端部を支持すべき配管１に取り付けるようにしてある。更に、上記シリンダ部５のロッド室８ａとヘッド室８ｂとを、途中にダンパ１２を備えた流路１３で連通接続すると共に、該ロッド室８ａ、ヘッド室８ｂ、ダンパ１２及び流路１３内に、作動油（図示せず）を充満させて封入した構成としてある。これにより、上記配管支持装置では、配管１の荷重を、ピストンロッド１０、ピストン９、圧縮バネ１１、シリンダ８、取付具７を介して固定部６に支持させることができるようにしてある。又、ＬＮＧタンクの変形等に伴い上記配管１に比較的低速の変位が生じる時には、上記シリンダ部８のロッド室８ａとヘッド室８ｂとの間で上記ダンパ１２を介した作動油の流通を行わせることで、シリンダ８内におけるピストン９を変位させて、上記配管１の変位に対応できるようにしてある。一方、地震等により上記配管１に振動等の動的な変位が生じる場合には、上記ダンパ１２によりシリンダ８のロッド室８ａとヘッド室８ｂとの間の流路１３を介した作動油の流通を制限することで、シリンダ８内におけるピストン９の移動を抑制し、これにより、上記配管１の動的な変位を拘束できるようにしてある（たとえば、特許文献１参照）。
【０００６】
【特許文献１】特開２００２−１３０５３８号公報
【発明の開示】
【発明が解決しようとする課題】
【０００７】
ところが、図４に示したように、Ｕボルト３の湾曲部の内側に取り付けた弾性部材４の粘弾性抵抗により配管１の振動を減衰させるようにするものでは、上記弾性部材４の性質上、該弾性部材４が粘弾性抵抗を発揮できる温度範囲が制限され、このために、使用可能な温度範囲が限られるという問題がある。又、屋外で用いる場合には、上記弾性部材４に紫外線による劣化が生じる虞があるため、比較的短い期間ごとにメンテナンスが必要となるという問題もある。更に、耐震、制振性能が、弾性部材４の材料として用いる素材の粘弾性抵抗により支配されるため、抵抗値の変更が困難であるという問題も生じる。
【０００８】
合成樹脂製クランプを用いて配管の支持を行わせる場合にも、上記と同様な問題が懸念される。
【０００９】
図５に示した配管支持装置では、使用できる温度範囲が、内部に封入されている作動油の性状があまり変化しない温度範囲に限られる。又、該配管支持装置においても、屋外で使用する場合には、シリンダ８下端部におけるピストンロッド１０の貫通部分に設けるシール部材等は径時的に劣化するため、定期的なメンテナンスの必要も生じるのが実状である。
【００１０】
そこで、本発明は、高温から低温までの広い温度範囲で使用できると共に、紫外線による劣化を長期に亘り防止できて、幅広い環境下で使用することができ、更に、耐震、制振性能を容易に調整することができる配管支持装置を提供しようとするものである。
【課題を解決するための手段】
【００１１】
本発明は、上記課題を解決するために、請求項１に係る発明として、所要の長さを有し且つ長手方向に所要間隔で複数個のワイヤ挿通孔を備えてなるワイヤ保持部材を、支持すべき配管の支持部分に位置する固定部に沿わせて配管の管軸方向に沿うよう取り付け、同様に所要の長さを有し且つ上記ワイヤ保持部材の各ワイヤ挿通孔と対応するよう長手方向に所要間隔で複数個のワイヤ挿通孔を備えてなるホルダ部材を、上記ワイヤ保持部材と所要の間隔を隔てて平行配置し、該ホルダ部材を、上記ワイヤ支持部材に、該ワイヤ保持部材と上記ホルダ部材の各ワイヤ挿通孔に撓み強度を有するワイヤロープを交互に挿通させて螺旋状に巻くことにより支持させ、上記ホルダ部材にて配管を支持させるようにした構成とする。
【００１２】
又、上記請求項１に係る発明におけるホルダ部材を、固定部側のワイヤ保持部材とは１８０度対向するように配置して、ワイヤロープを支持すべき配管の外周にて螺旋状に成形するようにした構成とする。
【００１３】
請求項１又は２に係る発明におけるホルダ部材による配管の支持を、ホルダ部材の両端から垂下させたワイヤロープの端部を介して行うようにした構成とする。
【００１４】
請求項１又は２に係る発明におけるホルダ部材による配管の支持を、固定の支持部材を介して行うようにした構成とする。
【発明の効果】
【００１５】
本発明の配管支持装置によれば、以下の如き優れた効果を発揮する。 
（１）所要の長さを有し且つ長手方向に所要間隔で複数個のワイヤ挿通孔を備えてなるワイヤ保持部材を、支持すべき配管の支持部分に位置する固定部に沿わせて配管の管軸方向に沿うよう取り付け、同様に所要の長さを有し且つ上記ワイヤ保持部材の各ワイヤ挿通孔と対応するよう長手方向に所要間隔で複数個のワイヤ挿通孔を備えてなるホルダ部材を、上記ワイヤ保持部材と所要の間隔を隔てて平行配置し、該ホルダ部材を、上記ワイヤ支持部材に、該ワイヤ保持部材と上記ホルダ部材の各ワイヤ挿通孔に撓み強度を有するワイヤロープを交互に挿通させて螺旋状に巻くことにより支持させ、上記ホルダ部材にて配管を支持させるようにした構成としてあるので、上記螺旋状に成形するワイヤロープの剛性に基づいて配管を支持することができると共に、該配管の制振、防震を図ることができる。
（２）荷重作用時における配管の固定部に対する相対変位を受けるための部材として、金属製であるワイヤロープを用いると、高温から低温までの幅広い温度条件下にて使用可能なものとすることができる。しかも、屋外使用しても紫外線による劣化はほとんどない。
したがって、非常に幅広い環境下において使用することができる。 
（３）制振、防震作用を発揮させるための配管支持装置全体の剛性は、使用するワイヤロープの径の選択、及び、該ワイヤロープを螺旋状に成形するときの巻密度を変化させることで、容易に調整することができる。 
（４）上記ワイヤロープは、ワイヤ保持部材のワイヤ挿通孔とホルダ部材のワイヤ挿通孔に順次通すことにより螺旋状に成形することができるため、運用している既設配管の支持装置としてラインを停止させることなく容易に用いることができる。 
（５）請求項１に係る発明におけるホルダ部材を、固定部側のワイヤ保持部材とは１８０度対向するように配置して、ワイヤロープを支持すべき配管の外周にて螺旋状に成形するようにした構成とすることにより、配管支持装置全体のサイズをコンパクトなものとすることができる。 
（６）請求項１又は２に係る発明におけるホルダ部材による配管の支持を、ホルダ部材の両端から垂下させたワイヤロープの端部を介して行うようにした構成とすることにより、ホルダ部材の両端部のワイヤロープにより配管の揺れを吸収できると共に、ホルダ部材と配管も一緒に変位できて、配管の制振、防震が図れる。 
（７）請求項１又は２に係る発明におけるホルダ部材による配管の支持を、固定の支持部材を介して行うようにした構成とすることにより、対応可能な管径の異なるクランプを用意するだけで、異なる管径の配管の支持に容易に適用させることが可能となる。
【発明を実施するための最良の形態】
【００１６】
以下、本発明を実施するための最良の形態を図面を参照して説明する。
【００１７】
図１（イ）（ロ）（ハ）は本発明の実施の一形態として、配管を下方の固定部に支持させる場合を示すもので、以下のような構成としてある。すなわち、所要の長さ寸法としてあって長手方向に所要間隔で複数個（図では６個）のワイヤ挿通孔１５を幅方向に貫通するように備えてあるワイヤ保持部材１４を、支持すべき配管１を支持しようとする部分の下方位置に予め設けてある固定部としての支持架台１６上に配置し、上記配管１の管軸方向に沿うように設置する。一方、所要の長さ寸法を有し且つ長手方向の上記ワイヤ保持部材１４の各ワイヤ挿通孔１５と対応する所要間隔で複数個（図では５個）のワイヤ挿通孔１８を幅方向に貫通するように備えてなるホルダ部材１７を、上記ワイヤ保持部材１４と対向するように１８０度の位置、すなわち、ワイヤ保持部材１４との間で支持すべき配管１を上下方向より挟むように該配管１の上方に所要の間隔を隔てて管軸方向と平行に配置する。この状態で上記ワイヤ保持部材１４の各ワイヤ挿通孔１５と該ホルダ部材１７の各ワイヤ挿通孔１８とに、所要の剛性を有して螺旋状に巻いても形状を維持できる強さを有する、たとえば、金属製のワイヤロープ１９を交互に挿通させて、該ワイヤロープ１９を支持すべき配管１の外周部にて螺旋状に成形させるようにする。これにより、上記螺旋状に成形させられたワイヤロープ１９により、上記ホルダ部材１７を上記ワイヤ保持部材１４よりも所要寸法上方位置に支持させることができるようにしてある。
【００１８】
更に、上記ワイヤロープ１９の両端部１９ａを、上記ホルダ部材１７の両端部より取り出して延長させ、該ワイヤロープ１９の両端部１９ａで配管１を支持させるようにする。
そのために、上記ホルダ部材１７の長手方向両端部に、幅方向の片面と長手方向の端面とを連通するように屈折させてワイヤ引出孔２０を設け、螺旋状に巻かれたワイヤロープ１９の両端部１９ａを該ワイヤ引出孔２０を通してホルダ部材１７の長手方向の両側へそれぞれ引き出すようにする。上記ホルダ部材１７の長手方向の両側へ引き出されたワイヤロープ１９の両端部１９ａには、それぞれクランプ部材２１を取り付け、該クランプ部材２１を配管１の所要個所に取り付けるようにする。
【００１９】
詳述すると、上記クランプ部材２１は、図１（イ）（ロ）（ハ）に一例を示す如く、上記配管１を外側より把持できるよう２分割構造としてあるクランプ本体２１ａ，２１ｂと、片方のクランプ本体２１ａにワイヤロープ１９の端部１９ａを固定するためのワイヤ固定部２２とを備えてなる構成としてある。かかる構成としてあるクランプ部材２１を介して上記ワイヤロープ１９の両端部１９ａを配管１に取り付ける場合には、上記ワイヤ引出孔２０よりホルダ部材１７の長手方向の両側に引き出されたワイヤロープ１９の両端部１９ａを、上記クランプ本体２１ａのワイヤ固定部２２に取り付けた後、該ワイヤロープ１９の先端部１９ａを伸張方向への復元力に抗して屈曲させながら上記クランプ本体２１ａと２１ｂを配管１の外周に嵌合させるよう配置して、該各クランプ本体２１ａ，２１ｂ同士をボルト２３にて連結して配管１の外周に位置固定するようにすればよい。これにより、上記ホルダ部材１７の両側に引き出されたワイヤロープ１９の両端部１９ａにより配管１を吊り下げるようにする。この際、屈曲させられたワイヤロープ１９の両端部１９ａには、それぞれ伸張方向への復元力が蓄積された状態となっているため、このワイヤロープ１９の両端部１９ａの復元力が、配管１における各クランプ部材２１の取り付け位置にて互いに拮抗する方向に作用されることで、上記ホルダ部材１７に対する配管１の相対位置の保持を行わせることができるようにしてある。したがって、上記配管１を、ワイヤロープ１９の両端部１９ａ、ホルダ部材１７、ワイヤロープ１９の螺旋状構造部分、ワイヤ保持部材１４を介して支持架台１６に支持させることができるようにしてある。
【００２０】
上記本発明の配管支持装置を用いて配管１を支持させた状態において、地震等により上記配管１と固定部である支持架台１６との間に相対変位を生じさせるような振動が作用すると、該振動に伴い配管１を支持架台１６に対し管軸方向に相対変位させるように作用する荷重は、それぞれ伸張方向への復元力が蓄積された状態となっているワイヤロープ１９の両端部１９ａの撓み（弾力）と、該ワイヤロープ１９の両端部１９ａを介して配管１より荷重が伝達されるホルダ部材１７と配管１がワイヤ保持部材１４に対し相対変位することで受けられるようになる。その後、上記配管１を支持架台１６に対し管軸方向に沿って相対変位させようとする荷重が作用しなくなると、上記螺旋状のワイヤロープ１９、及び、撓まされたワイヤロープ１９の両端部１９ａが、ワイヤロープ１９の有する剛性によりそれぞれ初期形状（初期状態における螺旋形状）へ復元されるため、配管１は初期状態の配置へ戻される。
【００２１】
又、配管１を支持架台１６に対し管軸方向に直交する水平方向（左右方向）に相対変位させるように作用する荷重は、配管１を吊り下げ支持しているワイヤロープ１９の両端部１９ａが、配管１の重量に抗してホルダ部材１７のワイヤ引出孔２０を中心に左右方向へ揺動する変位と、該ワイヤロープ１９の両端部１９ａを介して配管１より荷重が伝達されるホルダ部材１７が、螺旋状に成形されているワイヤロープ１９の変形を伴いながら支持架台１６上のワイヤ保持部材１４に対し左右方向へ相対変位することで受けられるようになる。その後、上記配管１を支持架台１６に対し管軸方向に直交する左右方向へ相対変位させようとする荷重が作用しなくなると、上記変形させられた螺旋状のワイヤロープ１９が、ワイヤロープ１９の有する剛性によりそれぞれ初期形状まで復元されると共に、配管１の重量が作用することに伴い、ワイヤロープ１９の両端部１９ａが左右方向へ揺動する変位が初期状態へ戻されるため、配管１も初期状態の配置へ戻される。
【００２２】
更に、配管１を支持架台１４に対し管軸方向に直交する上下方向に相対変位させるよう作用する荷重は、ワイヤロープ１９の両端部１９ａを介して配管１より上記荷重が伝達されるホルダ部材１７が、ワイヤロープ１９の螺旋状成形部分を上下方向に引き伸ばしたり、或いは、押しつぶすような変形を伴いながら支持架台１６上のワイヤ保持部材１４に対し相対変位することで受けられる。その後、上記配管１を支持架台１６に対し管軸に直交する上下方向に相対変位させようとする荷重が作用しなくなると、上記変形したワイヤロープ１９が、該ワイヤロープ１９の有する剛性により初期形状まで復元されることにより、配管１は初期状態の配置まで戻される。
【００２３】
したがって、上記配管１と該配管１の固定部との間にいかなる方向に相対変位させようとする荷重が作用する場合であっても、該荷重を、螺旋状に巻いたワイヤロープ１９の剛性により受けることができると共に、上記荷重が作用しなくなると、ワイヤロープ１９の剛性により配管１を初期状態の配置まで戻すことができる。これにより、該配管１は、制振、防震が図られた状態で支持されるようになる。
【００２４】
このように、本発明の配管支持装置によれば、上記ワイヤロープ１９の剛性に基づいて配管１を支持することができると共に、該配管１の制振、防震を図ることができる。更に、荷重作用時における配管１の固定部に対する相対変位を受けるための部材として、金属製であるワイヤロープ１９を用いて剛性を付与させているため、高温から低温までの幅広い温度条件下にて使用可能なものとすることができる。しかも、屋外使用しても紫外線による劣化はほとんどない。したがって、非常に幅広い環境下において使用することができる。
【００２５】
更に、制振、防震作用を発揮させるための本発明の配管支持装置全体の剛性は、使用するワイヤロープ１９の径の選択、及び、該ワイヤロープ１９を螺旋状に成形するときの巻密度を変化させることで、容易に調整することが可能となる。
【００２６】
上記において、ホルダ部材１７は、ワイヤ保持部材１４に対し、配管１を挟んで正対するように、１８０度の位置に配してあることから、ワイヤ保持部材１４とホルダ部材１７の各ワイヤ挿通孔１５と１８へワイヤロープ１９を挿通させて螺旋状に成形するとき、配管１の外周位置にワイヤロープ１９を配置することができる。このために、本発明の配管支持装置全体のサイズをコンパクトなものとすることが可能となる。
【００２７】
しかも、上記ワイヤロープ１９は、ワイヤ保持部材１４のワイヤ挿通孔１５とホルダ部材１７のワイヤ挿通孔１８に端部から順次通すことにより、配管支持装置を構成するようにしてあるため、運用している既設配管の支持装置としてラインを停止させることなく容易に採用することができる。
【００２８】
更には、ワイヤロープ１９の両端部１９ａに取り付けるクランプ部材２１として、管径の異なる配管１に対応した複数のクランプ部材２１を用意しておき、該各管径の異なるクランプ部材２１を適宜選択して用いることで、管径の異なる配管１の支持に容易に適用させることが可能となる。
【００２９】
次に、図２（イ）（ロ）（ハ）は本発明の実施の他の形態として、配管を上方の固定部に支持させる場合を示すもので、図１（イ）（ロ）（ハ）に示した配管支持装置を上下に反転させた構成とほぼ同様の構成とする。すなわち、長手方向に所要間隔で複数個にワイヤ挿通孔１５を設けてなるワイヤ保持部材１４を、支持すべき配管１の上方に設けてある所要の固定部２４の下面に、配管１の管軸方向に沿わせて取り付ける。一方、支持させるべき配管１の下方には、管軸方向に沿わせてホルダ部材１７を配置する。該ホルダ部材１７にも長手方向に所要間隔で複数個のワイヤ挿通孔１８が設けてある。該ホルダ部材１７のワイヤ挿通孔１８と上記ワイヤ保持部材１４のワイヤ挿通孔１５に、金属製のワイヤロープ１９を交互に且つ順に挿通させて螺旋状に巻いて行くことにより、上記ホルダ部材１７を、上記ワイヤ保持部材１４に、螺旋状に成形したワイヤロープ１９を介して支持させるようにする。
【００３０】
更に、上記ホルダ部材１７の長手方向の所要個所、たとえば、両端部に、上方へ所要寸法突出するように支持部材２５を取り付けて、該支持部材２５の先端部（上端部）にクランプ部材２１を着脱自在に取り付けるようにする。上記支持部材２５のクランプ部材２１を支持すべき配管１にクランプさせることにより、上記配管１を、上記クランプ部材２１、支持部材２５、ホルダ部材１７、螺旋状に成形されたワイヤロープ１９、ワイヤ保持部材１４を介して固定部２４に支持させることができるようにしてある。
【００３１】
なお、上記ワイヤ保持部材１４とホルダ部材１７との間で螺旋状に成形したワイヤロープ１９の端部は、上記ワイヤ保持部材１４又はホルダ部材１７のいずれか一方の部材（図ではホルダ部材１７側について示してある）の長手方向の両端部に設けたワイヤ固定部２６に固定するようにしてある。
【００３２】
その他、図１（イ）（ロ）（ハ）に示したものと同一のものには同一符号が付してある。
【００３３】
本実施の形態によれば、地震等の振動が発生して、配管１が、固定部２４に対して相対変位させるような荷重を受けると、該荷重は、支持部材２５を介し一体とされている配管１とホルダ部材１７が固定側のワイヤ保持部材１４に対して螺旋状に成形されているワイヤロープ１９の復元力に抗して変位することで受けられるようになる。その後、上記荷重が作用しなくなると、該ワイヤロープ１９の剛性に基づいて、上記配管１を初期状態の配置に戻すことができる。したがって、本実施の形態によっても図１（イ）（ロ）（ハ）に示した実施の形態と同様の効果を得ることができる。
【００３４】
なお、本発明は上記実施の形態のみに限定されるものではなく、ワイヤ保持部材１４及びホルダ部材１７に設けるワイヤ挿通孔１５，１８の数や、該各ワイヤ挿通孔１５，１８の配列ピッチは、使用するワイヤロープ１９の剛性と、支持すべき配管１の重量等を考慮して自在に設定してよい。ワイヤロープ１９は、配管支持装置全体のサイズをコンパクトにするという点では、上記各実施の形態に示したように、配管１の外周で螺旋状に成形させることが望ましいが、図３（イ）（ロ）に示すように、所要の固定部に取り付けたワイヤ保持部材１４と所要間隔を隔てて平行配置したホルダ部材１７の各ワイヤ挿通孔１５，１８にワイヤロープ１９を交互に挿通させて螺旋状に成形して、該螺旋状のワイヤロープ１９にて上記ホルダ部材１７の支持を行わせ、更に、該ホルダ部材１７の反固定部側に、所要の支持部材、たとえば、図３（イ）に示す如く、ワイヤロープ１９の両端部１９ａを介して配管１を吊り下げるよう支持させたり、図３（ロ）に示す如く、ホルダ部材１７上に突設した支持部材２５を介して配管１の支持を行わせるようにしてもよい。その他本発明の要旨を逸脱しない範囲内において種々変更を加え得ることは勿論である。
【図面の簡単な説明】
【００３５】
【図１】本発明の配管支持装置の実施の一形態を示すもので、（イ）は概略側面図、（ロ）は（イ）のＡ−Ａ方向矢視図、（ハ）は（イ）のＢ−Ｂ方向矢視図である。
【図２】本発明の実施の他の形態を示すもので、（イ）は概略側面図、（ロ）は（イ）のＣ−Ｃ方向矢視図、（ハ）は（イ）のＤ−Ｄ方向矢視図である。
【図３】（イ）（ロ）はいずれも本発明の実施の更に他の形態を示す概略側面図である。
【図４】従来一般に用いられている配管の支持手段を示す概略正面図である。
【図５】従来提案されている配管支持装置を示す概略切断側面図である。
【符号の説明】
【００３６】
１  配管
１４  ワイヤ保持部材
１５  ワイヤ挿通孔
１６  支持架台（固定部）
１７  ホルダ部材
１８  ワイヤ挿通孔
１９  ワイヤロープ
１９ａ  端部
２４  固定部
２５  支持部材
【図１】
2005257018.tif 000003
【図２】
2005257018.tif 000004
【図３】
2005257018.tif 000005
【図４】
2005257018.tif 000006
【図５】
2005257018.tif 000007